(57)【要約】【課題】表示部を視認した際に奥目感が生じるのを防止または抑制することができる表示機器を提供すること。【解決手段】時計１は、透明性を有するカバーガラス４と、カバーガラス４の外周方向に沿った枠状をなし、カバーガラス４を支持するケース本体３と、カバーガラス４の裏面側に配置され、時刻を表示し、表示された時刻がカバーガラス４を介して視認される時刻表示部９とを備え、カバーガラス４と時刻表示部９とは、互いに当接しているか、または、互いに離間しており、その離間距離ｈが０．２ｍｍ以下となっている。【選択図】図３
2011112668.tif 000002
【特許請求の範囲】
【請求項１】
透明性を有する透明基板と、
前記透明基板の外周方向に沿った枠状をなし、該透明基板を支持する枠体と、
前記透明基板の裏面側に配置され、数字、文字、記号および図形のうちの少なくとも１つの情報を表示し、該表示された情報が前記透明基板を介して視認される表示部とを備え、
前記透明基板と前記表示部とは、互いに当接しているか、または、互いに離間しており、その離間距離が０．２ｍｍ以下となっていることを特徴とする表示機器。
【請求項２】
前記枠体は、その内周部に突出形成された枠体側突出部を有し、
前記表示部が前記枠体側突出部に当接することにより、離間距離が規制される請求項１に記載の表示機器。
【請求項３】
前記透明基板は、その裏面に突出形成された基板側突出部を有し、
前記基板側突出部が前記枠体側突出部に当接している請求項２に記載の表示機器。
【請求項４】
前記透明基板と前記枠体とは、接着剤を介して互いの接着面で接着されるものであり、
前記透明基板と前記枠体とのうちの少なくとも一方は、前記透明基板と前記枠体とを前記接着剤で接着した際に、該接着剤が前記各接着面から前記透明基板と前記表示部との間に流入するのを阻止する流入阻止部を有する請求項１ないし３のいずれかに記載の表示機器。
【請求項５】
前記透明基板と前記枠体とのうちの少なくとも一方は、前記透明基板と前記枠体とを前記接着剤で接着した際に、該接着剤が前記各接着面から外方に向かって流出するのを阻止する流出阻止部を有する請求項４に記載の表示機器。
【請求項６】
前記流入阻止部および前記流出阻止部は、それぞれ、前記透明基板の外周方向に沿って形成された溝で構成されており、
前記流入阻止部の深さは、前記流出阻止部の深さよりも深い請求項５に記載の表示機器。
【請求項７】
前記流入阻止部および前記流出阻止部には、それぞれ、微小な凹凸が形成されている請求項５または６に記載の表示機器。
【請求項８】
前記情報は、数字であり、
前記表示部は、前記数字により時刻を表示するものである請求項１ないし７のいずれかに記載の表示機器。
【発明の詳細な説明】
【技術分野】
【０００１】
本発明は、表示機器に関する。
【背景技術】
【０００２】
従来から、文字板と文字板に付された数字を指す長針および短針とを有する時刻表示部を備える、いわゆるアナログ式の腕時計が知られている（例えば、特許文献１参照）。
この特許文献１に記載の腕時計は、内部の気密性を維持する等の理由により、カバーガラスが設置されている。このカバーガラスと時刻表示部との間には、比較的大きな間隙が形成されている。特許文献１に記載の腕時計では、カバーガラスの裏面（下面）と文字板の表面（上面）との距離は、カバーガラスの厚さの約２倍もの大きさとなっている。このような間隙が形成されていると、その間隙が大きくなればなるほど、カバーガラスを介して時刻表示部を視認した際に、奥目感を感じ、当該奥目感が気になる場合があった。
【先行技術文献】
【特許文献】
【０００３】
【特許文献１】特開２００６−１０５６５４号公報
【発明の概要】
【発明が解決しようとする課題】
【０００４】
本発明の目的は、表示部を視認した際に奥目感が生じるのを防止または抑制することができる表示機器を提供することにある。
【課題を解決するための手段】
【０００５】
このような目的は、下記の本発明により達成される。
本発明の表示機器は、透明性を有する透明基板と、
前記透明基板の外周方向に沿った枠状をなし、該透明基板を支持する枠体と、
前記透明基板の裏面側に配置され、数字、文字、記号および図形のうちの少なくとも１つの情報を表示し、該表示された情報が前記透明基板を介して視認される表示部とを備え、
前記透明基板と前記表示部とは、互いに当接しているか、または、互いに離間しており、その離間距離が０．２ｍｍ以下となっていることを特徴とする。
これにより、表示部を視認した際に奥目感が生じるのを防止または抑制することができる。
【０００６】
本発明の表示機器では、前記枠体は、その内周部に突出形成された枠体側突出部を有し、
前記表示部が前記枠体側突出部に当接することにより、離間距離が規制されることが好ましい。
これにより、表示部を視認した際に奥目感が生じるのを防止または抑制することができる。
【０００７】
本発明の表示機器では、前記透明基板は、その裏面に突出形成された基板側突出部を有し、
前記基板側突出部が前記枠体側突出部に当接していることが好ましい。
これにより、透明基板に対し、その面方向に力が作用したとしても、当該力によって透明基板が枠体から外れるのを防止することができる。
【０００８】
本発明の表示機器では、前記透明基板と前記枠体とは、接着剤を介して互いの接着面で接着されるものであり、
前記透明基板と前記枠体とのうちの少なくとも一方は、前記透明基板と前記枠体とを前記接着剤で接着した際に、該接着剤が前記各接着面から前記透明基板と前記表示部との間に流入するのを阻止する流入阻止部を有することが好ましい。
これにより、接着剤が透明基板と表示部との間に流入するのが確実に防止され、よって、接着剤で情報が隠されてしまうのを確実に防止することができる。
【０００９】
本発明の表示機器では、前記透明基板と前記枠体とのうちの少なくとも一方は、前記透明基板と前記枠体とを前記接着剤で接着した際に、該接着剤が前記各接着面から外方に向かって流出するのを阻止する流出阻止部を有することが好ましい。
これにより、接着剤が枠体からはみ出してしまうのが確実に防止され、よって、表示機器の審美性が向上する。
【００１０】
本発明の表示機器では、前記流入阻止部および前記流出阻止部は、それぞれ、前記透明基板の外周方向に沿って形成された溝で構成されており、
前記流入阻止部の深さは、前記流出阻止部の深さよりも深いことが好ましい。
これにより、接着剤の体積によらず、当該接着剤が透明基板と表示部との間に流入するのがより確実に防止され、よって、接着剤で情報が隠されてしまうのをより確実に防止することができる。
【００１１】
本発明の表示機器では、前記流入阻止部および前記流出阻止部には、それぞれ、微小な凹凸が形成されていることが好ましい。
これにより、例えば、接着剤が形成する層に、その厚さが大となる部分が生じ、よって、接着強度が増加する。
本発明の表示機器では、前記情報は、数字であり、
前記表示部は、前記数字により時刻を表示するものであることが好ましい。
これにより、奥目感が防止または抑制された状態で、時刻を視認することができる。
【発明の効果】
【００１２】
本発明によれば、表示部を視認した際に奥目感が生じるのを防止または抑制することができる表示機器を提供することができる。
【図面の簡単な説明】
【００１３】
【図１】本発明の表示機器を腕時計に適用した場合の第１実施形態を示す斜視図である。
【図２】図１に示す腕時計の分解斜視図である。
【図３】図１に示す腕時計の部分断面図である。
【図４】図１に示す腕時計を製造する際の、カバーガラスと枠体とを接合する過程を順に示す断面図である。
【図５】本発明の表示機器を腕時計に適用した場合の第２実施形態を示す部分断面図である。
【図６】本発明の表示機器を腕時計に適用した場合の第３実施形態を示す部分断面図である。
【図７】本発明の表示機器を腕時計に適用した場合の第４実施形態を示す断面図である。
【図８】本発明の表示機器を腕時計に適用した場合の第５実施形態を示す断面図である。
【図９】本発明の表示機器を腕時計に適用した場合の第６実施形態を示す断面図である。
【図１０】本発明の表示機器を腕時計に適用した場合の第７実施形態を示す断面図である。
【発明を実施するための形態】
【００１４】
以下、本発明の表示機器を添付図面に示す好適な実施形態に基づいて詳細に説明する。
＜第１実施形態＞
図１は、本発明の表示機器を腕時計に適用した場合の第１実施形態を示す斜視図、図２は、図１に示す腕時計の分解斜視図、図３は、図１に示す腕時計の部分断面図、図４は、図１に示す腕時計を製造する際の、カバーガラスと枠体とを接合する過程を順に示す断面図である。なお、以下では、説明の都合上、図１および図２中の紙面手前側を「表」、「上」または「上方」、紙面奥側を「裏」、「下」または「下方」と言い、図３および図４中（図５〜図１０についても同様）の上側を「表」、「上」または「上方」、下側を「裏」、「下」または「下方」と言う。
【００１５】
図１〜図３に示すように、腕時計（以下単に「時計」と言う）１は、ケース２と、ケース２内に収納される時刻表示部（表示部）９と、バンド１０とを備えている。以下、各部の構成について説明する。
ケース２は、ケース本体（枠体）３と、カバーガラス（透明基板）４と、中枠５と、裏蓋６とを備えている。
【００１６】
カバーガラス４は、例えば可視光の透過度が８５％以上程度の透明性を有するものである。この「透明」には、無色透明の他、有色（着色）透明も含まれる。
また、カバーガラス４は、平面視での形状が長方形をなす板部材で構成されている。
図３に示すように、カバーガラス４の表面４１の縁部には、面取り４１１が施されている。
【００１７】
カバーガラス４の裏面４２の縁部は、接着剤１１を介してケース本体３と接着される接着面４２１となる。そして、接着面４２１には、平面視で接着剤１１を覆うマスク層４２３が形成されている。このマスク層４２３により、表側からは接着剤１１の視認が防止または抑制されるように、当該接着剤１１が隠れ、よって、時計１の審美性が向上する。なお、マスク層４２３の形成方法としては、特に限定されないが、例えば、印刷による方法、蒸着による方法等が挙げられる。また、マスク層４２３の色としては、有彩色、無彩色のいずれでもよい。
また、カバーガラス４の裏面４２の接着面４２１以外の部分、すなわち、中心部付近は、下方向かって突出しており、突出部（基板側突出部）４２２を構成している。この突出部４２２は、平面視で時刻表示部９のほぼ全体を覆うことができる。
【００１８】
カバーガラス４の構成材料としては、例えば、ガラス、プラスチックまたはそれらの複合材料が挙げられ、特に、ガラスが好ましい。このガラスの具体例としては、無アルカリガラス、ソーダガラス、結晶性ガラス、石英ガラス、鉛ガラス、カリウムガラス、ホウ珪酸ガラス等が挙げられる。また、この他に、カバーガラス４の構成材料として、ウレックサイトを用いることができる。この場合、時刻がカバーガラス４の表側に向かって浮かび上がるように視認される。
このようなカバーガラス４は、ケース本体３に支持されている。
【００１９】
ケース本体３は、カバーガラス４の外周方向に沿った枠状、すなわち、リング状をなす部材である。
図２に示すように、ケース本体３の上面には、凹部で構成されたカバーガラス設置部３１が設けられ、当該カバーガラス設置部３１にカバーガラス４が嵌り込んでいる。これにより、カバーガラス４は、その表面４１全体が露出して、視認可能となり、よって、見栄えが良いものとなる。なお、カバーガラス４の表面４１の縁部の一部または全部を例えば別部材で囲ってもよい。
カバーガラス設置部３１の底面は、接着剤１１を介してカバーガラス４と接着される接着面３１１となる。
【００２０】
図３、図４に示すように、接着面３１１には、そのケース本体３の内周側の部分に第１の阻止部（流入阻止部）３１２が形成され、外周側の部分に第２の阻止部（流出阻止部）３１３が形成されている。第１の阻止部３１２は、接着剤１１が、接着面３１１および４２１からカバーガラス４と時刻表示部９との間に形成された間隙１２に流入するのを阻止する部分である。また、第２の阻止部３１３は、接着剤１１が、接着面３１１および４２１から外方に向かって流出するのを阻止する部分である。そして、第１の阻止部３１２および第２の阻止部３１３は、それぞれ、ケース本体３（カバーガラス４）の周方向に沿って形成された溝で構成されている。
【００２１】
ここで、カバーガラス４とケース本体３とが接着剤１１で接着されるまでの過程について図４を参照しつつ説明する。
図４（ａ）に示すように、カバーガラス４とケース本体３とが離間した状態で、ケース本体３の接着面３１１の第１の阻止部３１２および第２の阻止部３１３を以外の部分に接着剤１１が付与されている。
【００２２】
次に、図４（ｂ）に示すように、カバーガラス４をケース本体３に対して押し付けていくと、カバーガラス４の接着面４２１とケース本体３の接着面３１１との距離が減少する。このとき、接着剤１１は、押し潰されて、図中の矢印Ａ方向に向かっていくものと、矢印Ｂ方向に向かっていくものとが生じる。
そして、図４（ｃ）に示すように、前記矢印Ａ方向に向かっていくものは、間隙１２に向かって流入しようとするが、第１の阻止部３１２で確実に堰止められ、それ以上の移動が阻止される。これにより、接着剤１１が間隙１２に流入するのが確実に防止され、よって、接着剤１１で時刻が隠されてしまうのを確実に防止することができる。また、これと同様に、前記矢印Ｂ方向に向かっていくものも、外方に向かって流出しようとするが、第２の阻止部３１３で確実に堰止められ、それ以上の移動が阻止される。これにより、接着剤１１がケース２からはみ出してしまうのが確実に防止され、よって、時計１の審美性が向上する。
【００２３】
図４に示すように、第１の阻止部３１２の深さは、第２の阻止部３１３の深さよりも深い。
仮に接着剤１１の前記矢印Ａ方向に向かっていくものの体積よりも前記矢印Ｂ方向に向かっていくものの体積の方が多い場合、当該矢印Ｂ方向に向かっていくものが第２の阻止部３１３を越えてケース２からはみ出してしまっても、そのはみ出した部分を除去することができる。また、第２の阻止部３１３が浅いのもとなるため、時計１の見栄えがよくなる。また、第１の阻止部３１２は、前述したようにマスク層４２３に覆われるため、外部からは視認し難いものとなる。従って、接着剤１１の間隙への流入を阻止するために、第１の阻止部３１２の深さを十分に深くすることができ、また、これによって、時計１の見栄えにはあまり影響を与えることがない。
【００２４】
また、第１の阻止部３１２および第２の阻止部３１３には、それぞれ、粗面加工が施され、微小な凹凸が形成されている。この凹となる部分で、接着剤１１が形成する層に、その厚さが大となる箇所が生じ、よって、接着強度が増加する。また、凹凸が形成された分、接着剤１１がより確実に堰止められる。
なお、粗面加工としては、特に限定されず、例えば、型押しによる方法、ホーニングによる方法、サンドブラストによる方法等が挙げられる。
【００２５】
図３に示すように、ケース本体３の内周部には、突出部（枠体側突出部）３２が突出している。この突出部３２は、ケース本体３の内周部に沿って形成されている。
カバーガラス４をケース本体３のカバーガラス設置部３１に設置した際、カバーガラス４の突出部４２２の外周部４２４は、ケース本体３の突出部３２の内周部（頂部）３２１に当接する。これにより、カバーガラス４に対し、その面方向に力が作用したとしても、当該力によってカバーガラス４がケース本体３から外れるのを防止することができる。
ケース本体３には、その裏側から裏蓋６が装着される。この裏蓋６は、平板状をなす部材である。
【００２６】
図３に示すように、裏蓋６の上面６１には、ケース本体３の内周部と嵌合する嵌合部６２が突出形成されている。この嵌合部６２は、裏蓋６の外周部に沿ったリング状をなす部分である。嵌合部６２がケース本体３に嵌合することにより、裏蓋６をケース本体３に装着することができる。これにより、カバーガラス４とともに、ケース２内の気密性や液密性を保持することができる。
【００２７】
また、裏蓋６の上面６１には、嵌合部６２よりも内側に中枠５が例えば係合により固定されている。この中枠５は、時刻表示部９を支持するものである。
中枠５は、ケース本体３よりも小さいリング状をなす部材で構成されている。中枠５に時刻表示部９が嵌合することにより、時刻表示部９がケース２に対して位置決めがなされるとともに固定される。
なお、ケース本体３、中枠５および裏蓋６の構成材料としては、特に限定されず、例えば、各種金属材料や各種プラスチック等を単独または組み合わせて用いることができる。
【００２８】
また、ケース本体３とカバーガラス４とを接着する接着剤１１としては、特に限定されず、例えば、油性アクリル樹脂、エポキシ系樹脂（エポキシ系接着剤含む）、ポリエチレン系樹脂、エチレンー酢酸ビニル共重合体等のオレフィン系樹脂、オレフィン系エラストマー、ウレタン系エラストマー、シリコーン樹脂、シランカップリング剤、天然ゴム系接着剤等を用いることができる。接着剤１１の付与方法としては、例えば、スプレー法、ディッピング法、刷毛塗り、スクリーン印刷法、ディスペンサーを用いた定量塗布法等が挙げられる。
【００２９】
図３に示すように、このような構成のケース２内には、時刻表示部９が収納されている。この時刻表示部９は、カバーガラス４の裏面４２側に配置され、当該カバーガラス４を介して視認される。
時刻表示部９は、液晶表示素子９１と、制御部９２とを有している。この時刻表示部９は、制御部９２の上方に、全体形状が板状をなす液晶表示素子９１が載置されたものとなっている。
【００３０】
図１に示すように、液晶表示素子９１は、液晶により４つの数字をデジタル表示することができ、これらの数字によって時刻を表示することができる。そして、この表示された時刻をカバーガラス４を介して視認することができ、現在の時刻を確認することができる。
制御部９２は、液晶表示素子９１と電気的に接続された回路基板やボタン電池等が内蔵され、液晶表示素子９１の作動を制御するものである。
【００３１】
図３に示すように、時計１では、カバーガラス４と時刻表示部９とが離間している。また、液晶表示素子９１の上面９１１がケース本体３の突出部３２の下面３２２に当接している。これにより、カバーガラス４の突出部４２２の下面４２５（裏面４２）と液晶表示素子９１の上面９１１と離間距離ｈが確実に規制される。離間距離ｈは、０．２ｍｍ以下である。これは、カバーガラス４の厚さｔを例えば１ｍｍとしたとき、離間距離ｈが厚さｔの２０％以下に相当する。また、離間距離ｈは、好ましくは０．０１〜０．１ｍｍである。これは、カバーガラス４の厚さｔを例えば１ｍｍとしたとき、離間距離ｈが厚さｔの１〜１０％に相当する。
離間距離ｈをこのような微小な数値範囲に規定することにより、カバーガラス４と時刻表示部９とができる限り接近した状態となる。これにより、カバーガラス４を介して時刻表示部９の液晶表示素子９１で表示された時刻を視認した際に、奥目感が生じるのを防止する（または抑制する）ことができる。
【００３２】
ところで、前述したように、ケース本体３とカバーガラス４とは、接着剤１１を介して接着される。ここで仮に第１の阻止部３１２が省略されていた場合、接着剤１１は、離間距離ｈが微小な間隙１２に流入し、毛管現象によって間隙１２内に広がってしまう。しかしながら、第１の阻止部３１２が形成されているため、接着剤１１が間隙１２に流入する以前に第１の阻止部３１２で堰止められ、よって、このような不具合を確実に防止することができる。
【００３３】
バンド１０は、可撓性を有する帯状をなすものである。このバンド１０は、例えば、金属製の多数の小片（チップ）を互いに回動可能に連結する（鎖状に連結する）ことにより構成されている。また、バンド１０は、その両端部がそれぞれケース本体３の外周部に設けられた連結部３９に連結されている。このようなバンド１０により、時計１を手首に容易に装着することができる。
【００３４】
＜第２実施形態＞
図５は、本発明の表示機器を腕時計に適用した場合の第２実施形態を示す部分断面図である。
以下、この図を参照して本発明の表示機器の第２実施形態について説明するが、前述した実施形態との相違点を中心に説明し、同様の事項はその説明を省略する。
本実施形態は、カバーガラスと時刻表示部との離間の程度が異なること以外は前記第１実施形態と同様である。
【００３５】
図５に示す時計１Ａでは、カバーガラス４Ａの下面４２５と時刻表示部９の上面９１１とが互いに当接している。この場合、「離間距離ｈが零である」と言うこともできる。
カバーガラス４Ａと時刻表示部９とがこのような配置関係となっていることにより、カバーガラス４Ａを介して時刻を視認した際に、奥目感が生じるのを確実に防止することができる。
また、カバーガラス４Ａには、接着面４２１に段差部４２６が形成されている。これにより、接着面４２１の面積が増大し、よって、接着強度が向上する。
【００３６】
＜第３実施形態＞
図６は、本発明の表示機器を腕時計に適用した場合の第３実施形態を示す部分断面図である。
以下、この図を参照して本発明の表示機器の第３実施形態について説明するが、前述した実施形態との相違点を中心に説明し、同様の事項はその説明を省略する。
本実施形態は、時刻表示部の構成が異なること以外は前記第１実施形態と同様である。
【００３７】
図６に示す時計１Ｂは、アナログ式の腕時計である。すなわち、時計１Ｂは、時刻表示部９Ｂとして、１〜１２の数字（図示せず）が付された文字板９３と、文字板９３の各数字を指す長針９４１、短針９４２および秒針９４３を駆動するムーブメント９４とを有している。
この時計１Ｂでは、カバーガラス４Ｂには、その裏面４２に、周方向に沿った、すなわち、長針９４１、短針９４２および秒針９４３を囲むリング状をなす突出部４２２Ｂが形成されている。そして、カバーガラス４Ｂの突出部４２２Ｂの下面４２５と文字板９３の上面９３１とが離間しており、その離間距離ｈが前記数値範囲に規定されている。これにより、カバーガラス４Ｂと時刻表示部９Ｂのインデックス（数字）とができる限り接近した状態となり、よって、時刻を視認した際の奥目感が生じるのを防止することができる。
【００３８】
また、カバーガラス４Ｂの突出部４２２Ｂの外周部４２４は、ケース本体３の突出部３２の内周部３２１に当接している。これにより、カバーガラス４Ｂに対し、その面方向に力が作用したとしても、当該力によってカバーガラス４Ｂがケース本体３から外れるのを防止することができる。
また、突出部４２２Ｂとケース本体３の突出部３２およびカバーガラス４Ｂの裏面４２との境界部が強調され、その強調がデザインとして認識され、よって、カバーガラス４Ｂの審美性が高まる。
【００３９】
＜第４実施形態＞
図７は、本発明の表示機器を腕時計に適用した場合の第４実施形態を示す断面図である。
以下、この図を参照して本発明の表示機器の第４実施形態について説明するが、前述した実施形態との相違点を中心に説明し、同様の事項はその説明を省略する。
本実施形態は、カバーガラスの構成が異なること以外は前記第１実施形態と同様である。
【００４０】
図７に示すカバーガラス４Ｃは、上板部材４３ａと下板部材４４ａとで構成されている。上板部材４３ａは、その外径が下板部材４４ａの外径よりも大きい部材である。
カバーガラス４Ｃは、上板部材４３ａと下板部材４４ａとを同心的に配置した状態で、上板部材４３ａの下面４３１と下板部材４４ａの上面４４１とを接着剤４５を介して接着することにより製造される。この製造されたカバーガラス４Ｃは、下板部材４４ａが突出部４２２として機能する。
このように突出部４２２を有するカバーガラス４Ｃを製造する場合、例えば、１枚の母材から切削により突出部４２２を加工するよりも、前述したように２枚の板部材を接着して、一方の板部材を突出部４２２とした方が、製造が容易となる。
【００４１】
＜第５実施形態＞
図８は、本発明の表示機器を腕時計に適用した場合の第５実施形態を示す断面図である。
以下、この図を参照して本発明の表示機器の第５実施形態について説明するが、前述した実施形態との相違点を中心に説明し、同様の事項はその説明を省略する。
本実施形態は、カバーガラスの構成が異なること以外は前記第１実施形態と同様である。
【００４２】
図８に示すカバーガラス４Ｄは、内板部材４６ａと外板部材４７ａとで構成されている。内板部材４６ａは、その厚さが外板部材４７ａの厚さよりも大きい部材である。また、外板部材４７ａは、内板部材４６ａの外周面４６２に嵌合するリング状をなす部材である。
カバーガラス４Ｄは、内板部材４６ａに外板部材４７ａを嵌合させ、上面４６１、４７１同士を同一平面上に配置した状態で、内板部材４６ａの外周面４６２と外板部材４７ａの内周面４７２とを接着剤４５を介して接着することにより製造される。この製造されたカバーガラス４Ｄは、内板部材４６ａの外板部材４７ａよりも突出した部分が突出部４２２として機能する。
このように突出部４２２を有するカバーガラス４Ｄを製造する場合、例えば、１枚の母材から切削により突出部４２２を加工するよりも、前述したように２枚の板部材を接着して、一方の板部材を突出部４２２とした方が、製造が容易となる。
【００４３】
＜第６実施形態＞
図９は、本発明の表示機器を腕時計に適用した場合の第６実施形態を示す断面図である。
以下、この図を参照して本発明の表示機器の第６実施形態について説明するが、前述した実施形態との相違点を中心に説明し、同様の事項はその説明を省略する。
本実施形態は、上板部材の形状が異なること以外は前記第４実施形態と同様である。
図９に示すカバーガラス４Ｅでは、上板部材４３ｂの下面４３１に、下板部材４４ａの上部が嵌合する凹部４３２が形成されている。これにより、上板部材４３ｂと下板部材４４ａとを同心的に配置する際、上板部材４３ｂの凹部４３２に下板部材４４ａを嵌合することにより、その位置決めが容易となる。
【００４４】
＜第７実施形態＞
図１０は、本発明の表示機器を腕時計に適用した場合の第７実施形態を示す断面図である。
以下、この図を参照して本発明の表示機器の第７実施形態について説明するが、前述した実施形態との相違点を中心に説明し、同様の事項はその説明を省略する。
本実施形態は、内板部材および外板部材のそれぞれの形状が異なること以外は前記第５実施形態と同様である。
【００４５】
図１０に示すカバーガラス４Ｆでは、内板部材４６ｂの外周面４６２と、外板部材４７ｂの内周面４７２とに、互いに噛み合う段差部４６３、４７３が形成されている。これにより、内板部材４６ｂの上面４６１と外板部材４７ｂの上面４７１とを同一平面上に配置する際、内板部材４６ｂの段差部４６３と外板部材４７ｂの段差部４７３とが噛み合うことにより、その位置決めが容易となる。
【００４６】
以上、本発明の表示機器を図示の実施形態について説明したが、本発明は、これに限定されるものではなく、表示機器を構成する各部は、同様の機能を発揮し得る任意の構成のものと置換することができる。また、任意の構成物が付加されていてもよい。
また、本発明の表示機器は、前記各実施形態のうちの、任意の２以上の構成（特徴）を組み合わせたものであってもよい。
【００４７】
本発明の表示機器を適用することができるものとしては、腕時計の他に、携帯電話機、音楽プレーヤー、携帯テレビ等の電子機器が挙げられる。例えば、携帯電話機に適用した場合、表示される情報としては、時間（数字）の他に、文字、記号、図形またはそれらを組み合わせたものが挙げられる。
また、本発明の表示機器を腕時計に適用した場合、その腕時計の平面視での形状は、各実施形態では全体として角形状であるが、これに限定されず、例えば、丸形状であってもよい。
【００４８】
また、ケース本体に第１の阻止部および第２の阻止部が形成されているが、これに限定されず、例えば、カバーガラスに第１の阻止部および第２の阻止部が形成されていてもよいし、ケース本体に第１の阻止部が形成され、カバーガラスに第２の阻止部が形成されていてもよいし、ケース本体に第２の阻止部が形成され、カバーガラスに第１の阻止部が形成されていていてもよい。
【符号の説明】
【００４９】
１、１Ａ、１Ｂ……腕時計（時計）  ２……ケース  ３……ケース本体（枠体）  ３１……カバーガラス設置部  ３１１……接着面  ３１２……第１の阻止部（流入阻止部）  ３１３……第２の阻止部（流出阻止部）  ３２……突出部（枠体側突出部）  ３２１……内周部（頂部）  ３２２……下面  ３９……連結部  ４、４Ａ、４Ｂ、４Ｃ、４Ｄ、４Ｅ、４Ｆ……カバーガラス（透明基板）  ４１……表面  ４１１……面取り  ４２……裏面  ４２１……接着面  ４２２、４２２Ｂ……突出部（基板側突出部）  ４２３……マスク層  ４２４……外周部  ４２５……下面  ４２６……段差部  ４３ａ、４３ｂ……上板部材  ４３１……下面  ４３２……凹部  ４４ａ……下板部材  ４４１……上面  ４５……接着剤  ４６ａ、４６ｂ……内板部材  ４６１……上面  ４６２……外周面  ４６３……段差部  ４７ａ、４７ｂ……外板部材  ４７１……上面  ４７２……内周面  ４７３……段差部  ５……中枠  ６……裏蓋  ６１……上面  ６２……嵌合部  ９、９Ｂ……時刻表示部（表示部）  ９１……液晶表示素子  ９１１……上面  ９２……制御部  ９３……文字板  ９３１……上面  ９４……ムーブメント  ９４１……長針  ９４２……短針  ９４３……秒針  １０……バンド  １１……接着剤  １２……間隙  ｈ……離間距離  ｔ……厚さ
【図１】
2011112668.tif 000003
【図２】
2011112668.tif 000004
【図３】
2011112668.tif 000005
【図４】
2011112668.tif 000006
【図５】
2011112668.tif 000007
【図６】
2011112668.tif 000008
【図７】
2011112668.tif 000009
【図８】
2011112668.tif 000010
【図９】
2011112668.tif 000011
【図１０】
2011112668.tif 000012